【手続補正書】
【提出日】平成18年4月17日(2006.4.17)
【手続補正１】
【補正対象書類名】明細書
【補正対象項目名】特許請求の範囲
【補正方法】変更
【補正の内容】
【特許請求の範囲】
【請求項１】
ネットワークを介したデータ通信を実行する通信部と、
前記通信部を介して受信する前記ネットワークに接続されたサーバからのデバイス情報に基づく表示データを生成するデバイス情報解析部と、
前記デバイス情報解析部の生成した表示データを表示する出力部とを有し、
前記デバイス情報解析部は、
通信部を介して受信したサーバのデバイス情報に含まれる物理的デバイス情報に基づいて、サーバの提供するサービス情報を物理的デバイスに対応付けた表示データとして生成する処理を実行することを特徴とする情報処理装置。
【請求項２】
前記デバイス情報は、物理的デバイスに対応する識別子としての物理的ユニットＩＤ、または物理的デバイスに対応する識別名称としての物理的ユニット名、または物理的デバイスに対応するアイコンとしての物理的ユニットアイコン情報を含み、
前記デバイス情報解析部は、
前記物理的ユニットＩＤ、前記物理的ユニット名、物理的ユニットアイコン情報の少なくともいずれかに基づいて、サーバの提供するサービス情報と物理的デバイスとの対応を判定し、該判定結果に基づいて、サーバの提供するサービス情報を物理的デバイスに対応付けた表示データとして生成する処理を実行することを特徴とする請求項１に記載の情報処理装置。
【請求項３】
前記デバイス情報は、物理的デバイスに対応する識別名称としての物理的ユニット名を含み、
前記デバイス情報解析部は、
前記物理的ユニット名を、サーバの提供するサービス情報に対応付けた表示データとして生成する処理を実行することを特徴とする請求項１に記載の情報処理装置。
【請求項４】
前記デバイス情報は、物理的デバイスに対応するアイコンとしての物理的ユニットアイコン情報を含み、
前記デバイス情報解析部は、
前記物理的ユニットアイコン情報を、サーバの提供するサービス情報に対応付けた表示データとして生成する処理を実行することを特徴とする請求項１に記載の情報処理装置。
【請求項５】
前記デバイス情報解析部は、
通信部を介して受信したサーバのデバイス情報に含まれる物理的デバイス情報に基づいて、サーバの提供するサービス情報を物理的デバイスに対応付け、物理的デバイス毎に区分した表示データを生成する処理を実行することを特徴とする請求項１に記載の情報処理装置。
【請求項６】
前記デバイス情報解析部は、
通信部を介して受信したサーバのデバイス情報に含まれるサービス提供サーバのサービス毎のサービス詳細情報を抽出し、該サービス毎のサービス詳細情報を含む表示データを生成する処理を実行することを特徴とする請求項１に記載の情報処理装置。
【請求項７】
前記サービス詳細情報には、
サーバの提供可能なサービス情報を含むことを特徴とする請求項６に記載の情報処理装置。
【請求項８】
ネットワーク接続機器としてのクライアントに対するサービス提供処理を実行するサーバ機能を有する情報処理装置であり、
ネットワークを介したデータ通信を実行する通信部と、
情報処理装置に設定されたサーバの提供するサービス情報と、情報処理装置に対応する物理的デバイス情報を格納したデバイス情報記憶部と、
前記サービス情報、および前記物理的デバイス情報を前記デバイス情報記憶部から取得し、クライアントに送信するデバイス情報を生成する送信情報生成部とを有し、
クライアントからのデバイス情報取得要求に応じて、前記サービス情報および前記物理的デバイス情報を含むデバイス情報の送信処理を実行する構成を有することを特徴とする情報処理装置。
【請求項９】
前記物理的デバイス情報は、物理的デバイスである前記情報処理装置に対応する識別子としての物理的ユニットＩＤ、または物理的デバイスに対応する識別名称としての物理的ユニット名、または物理的デバイスに対応するアイコンとしての物理的ユニットアイコン情報の少なくともいずれかの情報を含むことを特徴とする請求項８に記載の情報処理装置。
【請求項１０】
前記サービス情報は、
前記サーバの提供可能なサービス情報を含むことを特徴とする請求項８に記載の情報処理装置。
【請求項１１】
ネットワークに接続されたサーバからデバイス情報を受信するステップと、
前記デバイス情報に含まれる物理的デバイス情報に基づいて、サーバの提供するサービス情報を物理的デバイスに対応付けた表示データとして生成する表示データ生成ステップと、
前記表示データ生成ステップにおいて生成した表示データをディスプレイに出力するデータ表示ステップと、
を有することを特徴とする情報処理方法。
【請求項１２】
前記デバイス情報は、物理的デバイスに対応する識別子としての物理的ユニットＩＤ、または物理的デバイスに対応する識別名称としての物理的ユニット名、または物理的デバイスに対応するアイコンとしての物理的ユニットアイコン情報の少なくともいずれかを含み、
前記表示データ生成ステップは、
前記物理的ユニットＩＤ、前記物理的ユニット名、物理的ユニットアイコン情報の少なくともいずれかに基づいて、サーバの提供するサービス情報と物理的デバイスとの対応を判定し、該判定結果に基づいて、サーバの提供するサービス情報を物理的デバイスに対応付けた表示データとして生成するステップを含むことを特徴とする請求項１１に記載の情報処理方法。
【請求項１３】
前記デバイス情報は、物理的デバイスに対応する識別名称としての物理的ユニット名を含み、
前記表示データ生成ステップは、
前記物理的ユニット名を、サーバの提供するサービス情報に対応付けた表示データとして生成する処理を実行するステップを含むことを特徴とする請求項１１に記載の情報処理方法。
【請求項１４】
前記デバイス情報は、物理的デバイスに対応するアイコンとしての物理的ユニットアイコン情報を含み、
前記表示データ生成ステップは、
前記物理的ユニットアイコン情報を、サーバの提供するサービス情報に対応付けた表示データとして生成する処理を実行するステップを含むことを特徴とする請求項１１に記載の情報処理方法。
【請求項１５】
前記表示データ生成ステップは、
通信部を介して受信したサーバのデバイス情報に含まれる物理的デバイス情報に基づいて、サーバの提供するサービス情報を物理的デバイスに対応付け、物理的デバイス毎に区分した表示データを生成する処理を実行するステップを含むことを特徴とする請求項１１に記載の情報処理方法。
【請求項１６】
前記表示データ生成ステップは、
通信部を介して受信したサーバのデバイス情報に含まれるサービス提供サーバのサービス毎のサービス詳細情報を抽出し、該サービス毎のサービス詳細情報を含む表示データを生成する処理を実行するステップを含むことを特徴とする請求項１１に記載の情報処理方法。
【請求項１７】
前記サービス詳細情報には、
サーバの提供可能なサービス情報を含むことを特徴とする請求項１６に記載の情報処理方法。
【請求項１８】
ネットワークを介した機器からのデバイス情報取得要求を受信するステップと、
情報処理装置に設定されたサーバの提供するサービス情報と、情報処理装置に対応する物理的デバイス情報を記憶部から取得し、送信デバイス情報を生成する送信情報生成ステップと、
前記サービス情報および前記物理的デバイス情報を含むデバイス情報の送信処理を実行するデバイス情報送信ステップと、
を有することを特徴とする情報処理方法。
【請求項１９】
前記物理的デバイス情報は、物理的デバイスである前記情報処理装置に対応する識別子としての物理的ユニットＩＤ、または物理的デバイスに対応する識別名称としての物理的ユニット名、または物理的デバイスに対応するアイコンとしての物理的ユニットアイコン情報の少なくともいずれかの情報を含むことを特徴とする請求項１８に記載の情報処理方法。
【請求項２０】
前記サービス情報は、
前記サーバの提供可能なサービス情報を含むことを特徴とする請求項１８に記載の情報処理方法。
【請求項２１】
情報処理装置において、デバイス情報の表示処理を実行させるコンピュータ・プログラムであり、
通信部において、ネットワークに接続されたサーバからデバイス情報を受信させるステップと、
デバイス情報解析部において、前記デバイス情報に含まれる物理的デバイス情報に基づいて、サーバの提供するサービス情報を物理的デバイスに対応付けた表示データとして生成させる表示データ生成ステップと、
出力部において、前記表示データ生成ステップにおいて生成した表示データをディスプレイに出力させるデータ表示ステップと、
を実行させることを特徴とするコンピュータ・プログラム。
【請求項２２】
情報処理装置において、デバイス情報の提供処理を実行させるコンピュータ・プログラムであり、
通信部において、ネットワークを介した機器からのデバイス情報取得要求を受信させるステップと、
送信情報生成部において、情報処理装置に設定されたサーバの提供するサービス情報と、情報処理装置に対応する物理的デバイス情報を記憶部から取得させ、送信デバイス情報を生成させる送信情報生成ステップと、
通信部において、前記サービス情報および前記物理的デバイス情報を含むデバイス情報の送信処理を実行させるデバイス情報送信ステップと、
を実行させることを特徴とするコンピュータ・プログラム。
【手続補正２】
【補正対象書類名】明細書
【補正対象項目名】００４１
【補正方法】変更
【補正の内容】
【００４１】
さらに、本発明の第５の側面は、
情報処理装置において、デバイス情報の表示処理を実行させるコンピュータ・プログラムであり、
通信部において、ネットワークに接続されたサーバからデバイス情報を受信させるステップと、
デバイス情報解析部において、前記デバイス情報に含まれる物理的デバイス情報に基づいて、サーバの提供するサービス情報を物理的デバイスに対応付けた表示データとして生成させる表示データ生成ステップと、
出力部において、前記表示データ生成ステップにおいて生成した表示データをディスプレイに出力させるデータ表示ステップと、
を実行させることを特徴とするコンピュータ・プログラムにある。
【手続補正３】
【補正対象書類名】明細書
【補正対象項目名】００４２
【補正方法】変更
【補正の内容】
【００４２】
さらに、本発明の第６の側面は、
情報処理装置において、デバイス情報の提供処理を実行させるコンピュータ・プログラムであり、
通信部において、ネットワークを介した機器からのデバイス情報取得要求を受信させるステップと、
送信情報生成部において、情報処理装置に設定されたサーバの提供するサービス情報と、情報処理装置に対応する物理的デバイス情報を記憶部から取得させ、送信デバイス情報を生成させる送信情報生成ステップと、
通信部において、前記サービス情報および前記物理的デバイス情報を含むデバイス情報の送信処理を実行させるデバイス情報送信ステップと、
を実行させることを特徴とするコンピュータ・プログラムにある。
【手続補正４】
【補正対象書類名】明細書
【補正対象項目名】００７５
【補正方法】変更
【補正の内容】
【００７５】
［クライアントによるコンテンツ再生処理］
例えばコンテンツを再生しようとするクライアントは、サーバに対してコンテンツ要求を行い、要求コンテンツをサーバから受信してコンテンツの再生を行うことができる。一般的なコンテンツ再生の手順について図５を参照して説明する。まず、ステップＳ１１において、クライアントは、サーバの保有するコンテンツ情報の取得要求を行う。これは例えばサーチ（検索）、あるいはブラウズ（閲覧）要求として実行することができる。ステップＳ１２で、サーバは、クライアントの要求に従ってコンテンツ対応のメタデータに基づいて、タイトル、アーティスト名などのコンテンツ情報をＸＭＬ（eXtensible Markup Language）データにより生成してクライアントに送信する。